(57)【要約】【課題】各短冊状部材の開閉状態に応じて画像の表示領域を設定することが可能な扇形表示装置を提供する。【解決手段】扇形表示装置１は、複数の短冊状部材２、回転軸３、センサ２１、制御部２０、を備えている。複数の短冊状部材２は、表示部１０を有している。回転軸３は、複数の短冊状部材２を扇形状に開閉可能に支持している。センサ２１は、複数の短冊状部材２に設けられており、各短冊状部材２の開閉状態を検知する。制御部２０は、表示部１００を制御する。制御部２０はセンサ２１の検知結果を基にして、表示部１００に形成する画像表示領域Ｂを設定する。【選択図】図６
2008304592.tif 000002
【特許請求の範囲】
【請求項１】
表示部を有する複数の短冊状部材と、
前記複数の短冊状部材を扇形状に開閉可能に支持する回動用部材と、
前記複数の短冊状部材に設けられており、各短冊状部材の開閉状態を検知するセンサ部と、
前記表示部を制御する制御部と、
を備えた扇形表示装置であって、
前記制御部は、前記センサ部の検知結果を基にして、前記表示部に形成する画像表示領域を設定する、
扇形表示装置。
【請求項２】
前記表示部は、前記複数の短冊状部材の正面側に位置し、
前記センサ部は、前記センサ部が設けられている短冊状部材の正面側に他の短冊状部材が有るか否か検知し、
前記制御部は、前記センサ部によって前記他の短冊状部材が検知されていない短冊状部材に設けられている表示部に画像を表示させる、
請求項１に記載の扇形表示装置。
【請求項３】
前記複数の短冊状部材は、互いに回動方向に対して分離可能な形状に形成されており、
前記表示部は、前記複数の短冊状部材ごとに設けられている、
請求項１または２に記載の扇形表示装置。
【発明の詳細な説明】
【技術分野】
【０００１】
この発明は、扇形状に形成された表示装置に関する。
【背景技術】
【０００２】
近年、薄膜平面ディスプレイ（表示部）を用いた扇形表示装置の開発が進められている。
【０００３】
このような扇形表示装置の中には、扇形表示装置の外形を形成する短冊状部材に表示部を取り付けておき、各短冊状部材を蛇腹状に折り畳んで収納することで表示部をコンパクトに収納することが可能な扇形表示装置がある（特許文献１参照。）。
【特許文献１】特開２００６−８５１６５号公報
【発明の開示】
【発明が解決しようとする課題】
【０００４】
しかしながら、特許文献１に示す扇形表示装置では、表示部の一部が折り畳まれた状態で画像を表示部に表示する点については何ら検討されていない。そのため、表示部に表示される画像を見るためには、表示部が取り付けられた短冊状部材を全て開く必要があり利便性の点で問題があった。
【０００５】
そこで、本発明に係る扇形表示装置では、各短冊状部材の開閉状態に応じて画像の表示領域を設定することが可能な扇形表示装置を提供することを目的とする。
【課題を解決するための手段】
【０００６】
この発明の扇形表示装置は、複数の短冊状部材と、回動用部材と、センサ部と、制御部と、を備えた扇形表示装置である。複数の短冊状部材は、表示部を有している。回動用部材は、複数の短冊状部材を扇形状に開閉可能に支持している。センサ部は、複数の短冊状部材に設けられており、各短冊状部材の開閉状態を検知する。制御部は、表示部を制御する。制御部は、センサ部の検知結果を基にして、表示部に形成する画像表示領域を設定する。
【０００７】
この構成では、センサ部の検知結果を基にして、表示部に形成する画像表示領域を設定する。これにより、短冊状部材の開閉状態に応じて表示部に形成される画像表示領域を変更させることができる。
【０００８】
この構成において、表示部は、複数の短冊状部材の正面側に位置している。センサ部は、センサ部が設けられている短冊状部材の正面側に他の短冊状部材が有るか否かを検知する。制御部は、センサ部によって他の短冊状部材が検知されていない短冊状部材に設けられている表示部に画像を表示させるようにしても良い。ここでは、複数の短冊状部材のうち、正面側に他の短冊状部材が無い短冊状部材、すなわち開いた状態の短冊状部材に設けられた表示部に画像を表示させる。このため、開いた状態の短冊状部材に設けられた表示部に画像を表示させることができる。
【０００９】
また、複数の短冊状部材は互いに回動方向に対して分離可能な形状に形成されている。表示部は、複数の短冊状部材ごとに設けられていても良い。ここでは、互いに回動方向に対して分離可能な形状に形成された複数の短冊状部材にそれぞれ表示部が設けられている。このため、各短冊状部材に設けられている表示部によって画像を表示させることができる。
【発明の効果】
【００１０】
この発明によれば、各短冊状部材の開閉状態に応じて画像表示領域を設定することができる。
【発明を実施するための最良の形態】
【００１１】
以下に、この発明の一実施形態に係る扇形表示装置について図面を参照しつつ詳細に説明する。
【００１２】
図１は、本実施形態に係る扇形表示装置１全体の構成を示す正面図である。図２は、側面視における扇形表示装置１の構成を示す図である。図３は、図１に示す扇形表示装置１の短冊状部材２を収納した状態を示す図である。図４は、図２に示す領域Ａの構成について説明する模式図である。図５は、図１に示す各短冊状部材２のうち、中央に位置する短冊状部材２の正面視における構成を模式的に示す図である。図６は、扇形表示装置１の開閉状態に応じて画像表示領域Ｂが変更される状態を模式的に示す図である。図７は、制御部２０が画像表示領域Ｂを設定するときの制御の流れを示すフローチャートである。
【００１３】
扇形表示装置１は、複数の短冊状部材２、複数のセンサ２１、回転軸３、表示部１０、制御部２０、を備えている。
【００１４】
図２に示すように、複数の短冊状部材２は、積層された状態で集合体４を形成している。また、図５に示すように、各短冊状部材２は互いに分離して形成されており、ほぼ同一の形状をしている。ここでは、図５に示す短冊状部材２を例に挙げて説明する。各短冊状部材２は、下端部に回転軸３を積層方向に貫通させるために孔３Ａが形成されている。そして、短冊状部材２の右上側端に係止部２Ａが形成されており、背面側の左上側端に係止部２Ｂが形成されている。
【００１５】
回転軸３は、各短冊状部材２に形成された孔３Ａを貫通するよう配置されており、各短冊状部材２の積層方向と直交する方向、すなわち回転軸３の円周方向に、各短冊状部材２を回動可能に支持している。
【００１６】
これにより、背面側の短冊状部材２を回転軸３の円周方向に引き出して、図３に示す閉じた状態から図１に示す開いた状態へと、背面側に位置する短冊状部材２から順に各短冊状部材２を扇状に展開させることができる。
【００１７】
ここで、図１に示すように、各短冊状部材２を扇状に展開したときに、各短冊状部材２は、係止部２Ａ、２Ｂによって係止された状態で保持される。そのため、正面視において左側に位置する短冊状部材２の右側端と、右側に位置する短冊状部材２の左側端は互いにわずかに重なり合った状態に保持される。
【００１８】
各短冊状部材２に形成されている係止部２Ａ、２Ｂについてより具体的に説明すると以下の通りである。
【００１９】
図４および図５に示すように、係止部２Ａは、各短冊状部材２の正面側の右上側端近傍に形成されている。一方、係止部２Ｂは、各短冊状部材２の背面側の左上側端近傍に形成されており、各短冊状部材２を扇状に展開したときに、背面側に位置する短冊状部材２に形成された係止部２Ａとそれぞれ係止する。これにより、各短冊状部材２を扇状に展開するときに、背面側に位置する短冊状部材２に形成された係止部２Ａと正面側に位置する短冊状部材２の係止部２Ｂが係止することで、各短冊状部材２が順次回転軸３の円周方向へと引き出される。
【００２０】
なお、扇形表示装置１では、各短冊状部材２は互いに分離している例を挙げて説明したが本発明はこれに限定されるものではない。例えば、各短冊状部材２は互いに繋がっており、各短冊状部材２を蛇腹状に折り曲げて収納するようにしても良い。この場合にも、本実施形態と同様の効果を得ることができる。また、上記のように各短冊状部材２が互いに繋がっている場合には、表示部１０を各短冊状部材２に別々に設ける代わりに、例えば、複数の短冊状部材２にまたがるように表示部１０を取り付けても良い。
【００２１】
表示部１０は、複数の短冊状部材２毎に、その正面側の表面に設けられている表示素子１０Ａによって形成されている。そして、表示部１０には、後段にて詳述する画像表示領域Ｂ（図６参照）が制御部２０によって設定される。これにより、各短冊状部材２にそれぞれ設けられている表示部１０に画像を表示させることができる。
【００２２】
ここで、本実施形態において、表示素子１０Ａは有機ＥＬ（ElectroLuminescence）によって形成されている。なお、本発明はこれに限定されるものではない。例えば、用途や、製造コスト等に応じて、有機ＥＬの代わりにＬＥＤ（Light  Emitting  Diode）やＬＣＤ（Liquid  Crystal  Display）や電子ペーパを表示素子１０Ａとして用いても良い。
【００２３】
図１に示すように、複数の短冊状部材２の表面にそれぞれ設けられている表示部１０は短冊状部材２を扇状に展開したときに、扇面の中央部に四角形状となるように各短冊状部材２の正面側の表面に配置されている。なお、本発明はこれに限定されるものではない。用途等に応じて、例えば、扇面の全体を覆うように表示部１０を形成しても良い。また、表示部１０は扇面の正面側と背面側の両方に形成しても良い。また、表示部１０を四角形状にする代わりに、丸形のディスプレイを形成しても良い。
【００２４】
制御部２０は、図1に示すように、正面視において右端に位置する短冊状部材２に内蔵されており、制御部２０に記録されている映像や画像等を表示部１０に表示させる制御部である。さらに、制御部２０は、設定ボタン２０Ｂを有している。
【００２５】
設定ボタン２０Ｂは、制御部２０から正面側へと短冊状部材２を貫通して設けられており、各短冊状部材２の開閉状態に応じて画像表示領域Ｂの設定を切り替えるための円筒状のボタンである。これにより、各短冊状部材２の開閉状態に応じて画像表示領域Ｂの設定を適宜変更することができる。
【００２６】
センサ２１は、各短冊状部材２の上端部にそれぞれ設けられている。そして、センサ２１は、他の短冊状部材２が正面側に位置しているか否か、すなわち正面側に他の短冊状部材２が重なっているか否かを検出する。なお、センサ２１は各短冊状部材２の中で最も正面側、すなわち制御部２０が内蔵されている短冊状部材２には設けられていない（図１参照）。
【００２７】
制御部２０は、センサ２１の検出結果に基づいて、正面側に他の短冊状部材２が重なっていない短冊状部材２に設けられている表示部１０に画像を表示させるように、画像表示領域Ｂを設定する。より具体的には、図６（Ａ）に示すように、各短冊状部材２が全て開いた状態のときに設定ボタン２０Ｂが押下されると、表示部１０全体が画像表示領域Ｂ１となるように設定する。また、図６（Ｂ）に示すように、正面視において左側に位置する数枚の短冊状部材２が閉じた状態のときに設定ボタン２０Ｂが押下されると、画像表示領域Ｂ1と縦横比が同一となるように画像表示領域Ｂ２を設定する。また、正面視において、中央部に位置する短冊状部材２が閉じた状態となっている場合や右側に位置する短冊状部材２が閉じた状態となっているときに設定ボタン２０Ｂが押下されると、上記と同様に制御部２０は画像表示領域Ｂ1と縦横比が同一となるように画像表示領域Ｂを設定する。
【００２８】
これにより、各短冊状部材２の開閉状態に応じて表示部１０に形成される画像表示領域Ｂを設定することができる。また、画像表示領域Ｂの縦横比を同一に保持することで表示される画像の縦横比が短冊状部材２の開閉状態によって変化して画像が見づらくなることを防止している。
【００２９】
なお、例えば、制御部２０にさらに外部からの入力端子を設けてＳＤカード等の記録メディアや、ＬＡＮケーブル、ＵＳＢケーブル等を介してＰＣ等からの入力に対応させるといったことも考えられる。この場合には、外部から入力された映像や画像等を表示部１０に表示させることができる。また、本実施形態では、制御部２０に含まれる内蔵電源から表示部１０へ電力を供給するが、例えば、上記と同様に入力端子を制御部２０に設けて外部から電力を供給するようにしても良い。
【００３０】
各短冊状部材２は、図１に示すように、短冊状部材２ごとに設けられた表示部１０と制御部２０とを接続する配線パターン２０Ａをそれぞれ有している。各配線パターン２０Ａは、各短冊状部材２の内部に配置されており、表示部１０から回転軸３へと延び、回転軸３で合流してから制御部２０へと延びている。
【００３１】
ここで、制御部２０による各短冊状部材２の開閉状態に応じた画像表示領域Ｂの設定制御の流れについて図７に示すフローチャートを用いて説明すると以下の通りである。
【００３２】
ステップＳ１では、制御部２０は設定ボタン２０Ｂが押下されているか否かを検知する。
【００３３】
ステップＳ２では、各短冊状部材２に取り付けられているセンサ２１は他の短冊状部材２が正面側に有るか否かを検知する。これにより、各短冊状部材２の開閉状態をそれぞれ検知することができる。
【００３４】
ステップＳ３では、制御部２０は、ステップＳ２においてセンサ２１によって検出された各短冊状部材２の開閉状態に応じて画像表示領域Ｂを設定する。より具体的には、制御部２０は、ステップＳ２においてセンサ２１によって他の短冊状部材２が正面側に検出されなかった短冊状部材２の表示部１０だけを用いて画像表示領域Ｂを設定する。これにより、各短冊状部材２の開閉状態に応じて画像表示領域Ｂを設定することができる。
【００３５】
なお、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図されている。
【図面の簡単な説明】
【００３６】
【図１】扇形表示装置全体の構成を示す正面図である。
【図２】図１に示す扇形表示装置の構成を示す側面図である。
【図３】図１に示す扇形表示装置において各短冊状部材を収納した状態を示す図である。
【図４】図２に示す領域Ａ付近の構成を模式的に示す図である。
【図５】短冊状部材の正面視における構成を模式的に示す図である。
【図６】図１に示す各短冊状部材の開閉状態に応じて画像表示領域が変更される状態を模式的に示す図である。
【図７】制御部２０が各短冊状部材２の開閉状態に応じて画像表示領域Ｂを設定するときの制御の流れを示すフローチャートである。
【符号の説明】
【００３７】
１  扇形表示装置
２  短冊状部材
３  回転軸
４  集合体
１０  表示部
１０Ａ  表示素子
２０  制御部
２０Ａ  配線パターン
２０Ｂ  設定ボタン
２１    センサ
Ｂ、Ｂ1、Ｂ２  画像表示領域
【図１】
2008304592.tif 000003
【図２】
2008304592.tif 000004
【図３】
2008304592.tif 000005
【図４】
2008304592.tif 000006
【図５】
2008304592.tif 000007
【図６】
2008304592.tif 000008
【図７】
2008304592.tif 000009